(57)【要約】【課題】選択された放送局の番組情報を、他の放送局の番組情報よりも優先して取得し、さらに選択された放送局の情報取得量を、他の放送局の情報取得量よりも増やす。【解決手段】システムコントローラ１３０は、ユーザにより選択された放送局の識別情報に基づいて、選択された放送局の系列放送局を抽出し、抽出された系列放送局の識別情報と、選択された放送局の識別情報とを登録した優先リストを作成する。そして、システムコントローラ１３０は、優先リストに登録された放送局の番組情報の受信を、優先リストに登録されていない放送局の番組情報の受信よりも先に行い、優先リストに登録された放送局の番組情報の受信時間が、優先リストに登録されていない放送局の番組情報の受信時間よりも長くなるように受信部１１０を制御する。【選択図】図１
2015106898.tif 000002
【特許請求の範囲】
【請求項１】
放送局から放送される放送信号を受信する受信部と、
選択された放送局の識別情報を記憶する記憶部と、
前記放送局の識別情報に基づいて、前記放送局の系列放送局を抽出する抽出部と、
前記抽出部により抽出された系列放送局の識別情報と、前記選択された放送局の識別情報とを登録した優先リストを作成する優先リスト作成部と、
前記優先リストに登録された放送局の番組情報の受信を、前記優先リストに登録されていない放送局の番組情報の受信よりも先に行い、前記優先リストに登録された放送局の番組情報の受信時間が、前記優先リストに登録されていない放送局の番組情報の受信時間よりも長くなるように前記受信部を制御する制御部と、
を備えることを特徴とするテレビ放送受信装置。
【請求項２】
車両の現在位置に基づいて特定された、前記現在位置が属する都道府県と、該都道府県に隣接する都道府県との情報を取得する取得部を備え、
前記制御部は、前記受信部が受信した番組情報のうち、前記優先リストに登録された放送局の番組情報であって、前記現在位置が属する都道府県と、該都道府県に隣接する都道府県とで受信可能な放送局の番組情報とを選択して表示部に表示させることを特徴とする請求項１記載のテレビ放送受信装置。
【請求項３】
請求項１又は２に記載のテレビ放送受信装置を備えることを特徴とするナビゲーション装置。
【請求項４】
選択された放送局の識別情報に基づいて、前記放送局の系列放送局を抽出するステップと、
抽出された系列放送局の識別情報と、前記選択された放送局の識別情報とを登録した優先リストを作成するステップと、
前記優先リストに登録された放送局の番組情報の受信を、前記優先リストに登録されていない放送局の番組情報の受信よりも先に行い、前記優先リストに登録された放送局の番組情報の受信時間が、前記優先リストに登録されていない放送局の番組情報の受信時間よりも長くなるように、放送信号を受信する受信部を制御するステップと、
を有することを特徴とするテレビ放送受信装置の制御方法。
【発明の詳細な説明】
【技術分野】
【０００１】
本発明は、テレビ放送受信装置、ナビゲーション装置及びテレビ放送受信装置の制御方法に関する。
【背景技術】
【０００２】
本技術分野の背景技術として、特開２００６−１６６０７１号公報がある。この公報には、「受信したデジタル放送の放送波より放送局コードを抽出し、そのデータを利用し、既にチャンネルポジション記憶手段に同じ系列の放送局が登録されている場合、そのチャンネルポジションに受信した放送局を登録するチャンネルプリセット部を備えることにより、そのまま使っていた同じチャンネルポジションが使えることで、使い勝手のよいデジタル放送受信装置が提供できる。」と記載されている。
【先行技術文献】
【特許文献】
【０００３】
【特許文献１】特開２００６−１６６０７１号公報
【発明の概要】
【発明が解決しようとする課題】
【０００４】
同じ系列の放送局であっても、異なる番組が放送される場合がある。このため、例えば、車両が移動した結果、放送を受信可能な放送局が変わった場合、受信可能な放送局において、どのような番組が放送されているのかを速やかに知らせることはユーザにとって有益であるが、特開２００６−１６６０７１号公報は、この点が考慮されていない。
【０００５】
本発明は上記課題に鑑みてなされたものであり、選択された放送局の番組情報を、他の放送局の番組情報よりも優先して受信し、さらに選択された放送局の情報取得量を、他の放送局の情報取得量よりも増やすことができるテレビ放送受信装置、ナビゲーション装置及びテレビ放送受信装置の制御方法を提供することを目的とする。
【課題を解決するための手段】
【０００６】
上記課題を解決するため本発明の一態様であるテレビ放送受信装置は、放送局から放送される放送信号を受信する受信部と、選択された放送局の識別情報を記憶する記憶部と、前記放送局の識別情報に基づいて、前記放送局の系列放送局を抽出する抽出部と、前記抽出部により抽出された系列放送局の識別情報と、前記選択された放送局の識別情報とを登録した優先リストを作成する優先リスト作成部と、前記優先リストに登録された放送局の番組情報の受信を、前記優先リストに登録されていない放送局の番組情報の受信よりも先に行い、前記優先リストに登録された放送局の番組情報の受信時間が、前記優先リストに登録されていない放送局の番組情報の受信時間よりも長くなるように前記受信部を制御する制御部と、を備えることを特徴とする。
【発明の効果】
【０００７】
本発明のテレビ放送受信装置によれば、選択された放送局の番組情報を、他の放送局の番組情報よりも優先して受信し、さらに選択された放送局の情報取得量を、他の放送局の情報取得量よりも増やすことができる。
【図面の簡単な説明】
【０００８】
【図１】ナビゲーション装置の概略構成の一例を示す構成図である。
【図２】放送局ＤＢの構成の一例を示す図である。
【図３】システムコントローラが行う処理の全体の流れを示すフローチャートである。
【図４】記憶部に登録されるお気に入り局の情報の一例を示すフローチャートである。
【図５】検索対象リストの一例を示す図である。
【図６】お気に入り放送局割り当て処理の手順を示すフローチャートである。
【図７】優先リスト作成処理の手順を示すフローチャートである。
【図８】優先チャンネル受信処理の手順を示すフローチャートである。
【図９】非優先チャンネル受信処理の手順を示すフローチャートである。
【図１０】放送局から送信される番組情報を示す図である。
【図１１】従来の受信方法で番組情報を受信した場合に、表示される番組情報の一例を示す図である。
【図１２】実施形態の受信方法で番組情報を受信した場合に、表示される番組情報の一例を示す図である。
【図１３】番組情報と共に表示されるアイコンの一例を示す図である。
【図１４】番組情報と共にアイコンを表示した例を示す図である。
【図１５】お気に入り局の番組情報の隣に、お気に入り局の系列局の番組情報を表示した例を示す図である。
【発明を実施するための形態】
【０００９】
以下、本発明の一実施形態について、図１〜図１５を参照しながら詳細に説明する。図１には、本実施形態のナビゲーション装置１００の構成の一例が示されている。ナビゲーション装置１００は、第１アンテナ１０１と、第２アンテナ１０２と、受信部１１０と、ナビゲーション部１２０と、システムコントローラ１３０と、操作部１３１と、ディスプレイ１３２と、スピーカ１３３と、記憶部１３４とを備える。
【００１０】
第１アンテナ１０１及び第２アンテナ１０２は、地上デジタル放送の放送局や中継局から送信された放送信号を捕捉してデジタルチューナ１１１に供給する。第１アンテナ１０１と、第２アンテナ１０２とのいずれか一方で受信した放送信号が映像信号や音声信号の再生に用いられ、他方のアンテナで受信した放送信号が番組情報等の取得に用いられる。すなわち、第１及び第２アンテナ１０１、１０２のいずれか一方で受信した放送信号により映像や音声を再生して、ユーザに試聴させると共に、他方のアンテナ１０１、１０２で受信した放送信号により番組情報を取得する。
【００１１】
受信部１１０は、デジタルチューナ１１１と、ＯＦＤＭ（orthogonal frequency-division multiplexing）デコーダ１１２と、デスクランブラ・ＭＰＥＧ（Moving Picture Experts Group）デコーダ１１３とを備えている。
デジタルチューナ１１１は、システムコントローラ１３０により指定された周波数の放送信号を選択的に受信し、ベースバンド信号としてＯＦＤＭデコーダ１１２に供給する。
ＯＦＤＭデコーダ１１２は、デジタルチューナ１１１から供給されるベースバンド信号に復調処理を施してストリーム信号を生成する。ＯＦＤＭデコーダ１１２は、生成したストリーム信号をデスクランブラ・ＭＰＥＧデコーダ１１３に供給する。
デスクランブラ・ＭＰＥＧデコーダ１１３は、ＯＦＤＭデコーダ１１２から入力した、スクランブル（暗号化）されたストリーム信号を、Ｂ−ＣＡＳカード（不図示）から供給されるスクランブル鍵を用いて復号する。復号されたストリーム信号には、ＭＰＥＧ方式で符号化された映像信号及び音声信号が含まれる。デスクランブラ・ＭＰＥＧデコーダ１１３は、ストリーム信号を復号化して映像信号及び音声信号を生成する。デスクランブラ・ＭＰＥＧデコーダ１１３は、生成した映像信号及び音声信号をシステムコントローラ１３０に出力する。映像信号は、システムコントローラ１３０の制御によりディスプレイ１３２に表示され、音声信号は、システムコントローラ１３０の制御によりスピーカ１３３から出力される。
【００１２】
ナビゲーション部１２０は、ＧＰＳ（Global Positioning System）アンテナ１２１と、地図情報記憶部１２２と、カーナビ制御部１２３とを備える。
ＧＰＳアンテナ１２１は、ＧＰＳ衛星から送信されるＧＰＳ信号を受信してカーナビ制御部１２３に供給する。
地図情報記憶部１２２は、不揮発性の記憶装置であって、地図データや経路案内用の音声データ等を記憶している。
カーナビ制御部１２３は、ＣＰＵ（Central Processing Unit），ＲＯＭ（Read Only Memory），ＲＡＭ（Random Access Memory）等を備えるマイクロコンピュータを中心に構成されている。カーナビ制御部１２３は、ＧＰＳアンテナ１２１から受信したＧＰＳ信号に基づいて、ナビゲーション装置１００を搭載した車両の現在位置を割り出す。また、カーナビ制御部１２３は、割り出した車両の現在位置と、地図情報記憶部１２２に記憶された地図データとに基づいて、車両が現在、位置する都道府県と、この都道府県に隣接する都道府県とを特定する。カーナビ制御部１２３は、特定した都道府県と、この都道府県に隣接する都道府県との情報をシステムコントローラ１３０に渡す。さらに、カーナビ制御部１２３は、地図情報記憶部１２２に記憶された地図データや音声データに基づき走行案内用の映像信号や音声信号を生成して、システムコントローラ１３０に出力する。映像信号は、システムコントローラ１３０の制御によりディスプレイ１３２に表示され、音声信号は、システムコントローラ１３０の制御によりスピーカ１３３から出力される。
【００１３】
システムコントローラ１３０は、ＣＰＵ（Central Processing Unit），ＲＯＭ（Read Only Memory），ＲＡＭ（Random Access Memory）等を備えるマイクロコンピュータを中心に構成されている。システムコントローラ１３０は、ＲＯＭに記憶されたプログラムと、ＣＰＵやＲＡＭ等のハードウェアとの協働により実現される機能ブロックを備えている。システムコントローラ１３０は、機能ブロックとして、抽出部、優先リスト作成部、制御部及び取得部を備える。なお、これら各部で行われる処理の説明は、後述する。
システムコントローラ１３０は、デジタルチューナ１１１、ＯＦＤＭデコーダ１１２、デスクランブラ・ＭＰＥＧデコーダ１１３、カーナビ制御部１２３に接続し、これら各部を制御する。また、システムコントローラ１３０には、ユーザが各種指令を入力するための操作部１３１、走行案内用の画像やテレビ放送画像等を表示するためのディスプレイ１３２、音声を出力するためのスピーカ１３３が接続されている。さらに、システムコントローラ１３０には、記憶部１３４が接続されている。記憶部１３４は、不揮発性の記憶装置であって、システムコントローラ１３０が制御に使用するデータや、放送局データベース（以下、データベースをＤＢと略記する）が登録されている。図２に、放送局ＤＢの一例を示す。放送局ＤＢには、放送局名と、トランスポートストリーム識別子（以下、ＴＳ＿ｉｄと略記する）と、ａｆｆｉｌｉａｔｉｏｎ  ｉｄ（識別情報に相当する）と、放送周波数とが放送局ごとに登録されている。ＴＳ＿ｉｄは、放送局を識別する識別情報である。ａｆｆｉｌｉａｔｉｏｎ  ｉｄは、放送局の系列局を識別する情報である。ａｆｆｉｌｉａｔｉｏｎ  ｉｄは、在京放送局と、この在京放送局から配信された放送番組を放送する地方放送局とに同一の値が割り当てられている。放送周波数は、放送局が、放送信号の放送に使用する周波数である。
システムコントローラ１３０は、操作部１３１又はディスプレイ１３２のタッチパネルで受け付けた指示に従い、受信部１１０やナビゲーション部１２０を制御する。また、システムコントローラ１３０は、受信部１１０やナビゲーション部１２０から入力される映像信号及び音声信号に基づき、ディスプレイ１３２に映像を表示させ、スピーカ１３３から音声を出力させる。
【００１４】
次に、システムコントローラ１３０の処理手順について図３〜図６に示すフローチャートを参照しながら詳細に説明する。最初に、図３に示すフローチャートを参照しながらシステムコントローラ１３０が行う処理の全体の流れを説明する。
システムコントローラ１３０は、まず、お気に入り放送局の割り当て処理を行う（ステップＳ１）。このお気に入り放送局の割り当て処理は、システムコントローラ１３０の備える機能ブロックのうち、抽出部によって実行される。お気に入り放送局の割り当て処理とは、ユーザが事前にお気に入り登録した放送局（以下、お気に入り局という）の属する系列局を検出して、検出した系列局に属する放送局の情報を、検索対象リストに登録する処理である。図４に、記憶部１３４に登録されたお気に入り局の情報の一例を示す。例えば、お気に入り局の所在地、放送局名、ａｆｆｉｌｉａｔｉｏｎ  ｉｄ等がお気に入り局情報として登録されている。また、検索対象リストとは、お気に入り放送局の割り当て処理により検出した、優先的に番組情報を取得する放送局の候補を登録したリストである。検索対象リストの一例を図５に示す。検索対象リストには、放送局名と、放送局の所在地と、放送局のＴＳ＿ｉｄとが登録されている。検索対象リストに登録された放送局のうち、実際にナビゲーション装置１００で放送信号を受信することができた放送局の情報（識別情報に該当する。）が優先リストに登録される。放送局の情報には、例えば、当該放送局の放送局名と、放送局の所在地と、放送局のＴＳ＿ｉｄと、放送周波数とが含まれる。
【００１５】
次に、システムコントローラ１３０は、優先リスト作成処理を行う（ステップＳ２）。この優先リスト作成処理は、システムコントローラ１３０の備える機能ブロックのうち、優先リスト作成部によって実行される。優先リスト作成処理について説明する。システムコントローラ１３０は、地上デジタル放送の各チャンネル（１３ｃｈ〜６２ｃｈ）のＮＩＴ（Network Information Table）を受信する。システムコントローラ１３０は、受信することができたチャンネルのＮＩＴからＴＳ＿ｉｄを取得する。そして、システムコントローラ１３０は、受信したＮＩＴから取得したＴＳ＿ｉｄと、検索対象リストに登録されたＴＳ＿ｉｄとが一致するか否かを判定する。システムコントローラ１３０は、一致する場合には、該当放送局の情報を優先リストに登録する。
【００１６】
次に、システムコントローラ１３０は、優先チャンネルの受信処理を行う（ステップＳ３）。優先チャンネルの受信処理は、放送信号を受信する受信周波数を、優先リストに登録されたチャンネルの放送周波数に設定して、優先リストに登録されたチャンネルの番組情報を取得する処理である。番組情報の取得順は、例えば、チャンネル番号の小さいほうから順に取得する。優先チャンネルの受信処理と、この優先チャンネルの受信処理の次に行う非優先チャンネルの受信処理とは、システムコントローラ１３０の備える機能ブロックのうち、制御部によって実行される。
【００１７】
次に、システムコントローラ１３０は、非優先チャンネルの受信処理を行う（ステップＳ４）。非優先チャンネルの受信処理は、受信周波数を、優先リストに登録されていないチャンネルの放送周波数に設定して、優先リストに登録されていないチャンネルの番組情報を、チャンネル番号の小さいほうから順に取得する処理である。
【００１８】
次に、システムコントローラ１３０は、ナビゲーション装置１００の電源をオフする操作入力を受け付けたか否かを判定する（ステップＳ５）。肯定判定の場合（ステップＳ５／ＹＥＳ）、システムコントローラ１３０は、このフローを終了して、ナビゲーション装置１００の電源をオフする。また、否定判定の場合（ステップＳ５／ＮＯ）、システムコントローラ１３０は、前回の受信処理から所定時間を経過したか否かを判定する（ステップＳ６）。なお、受信処理とは、ステップＳ３の優先チャンネル受信処理と、ステップＳ４の非優先チャンネル受信処理とを示す。肯定判定の場合（ステップＳ６／ＹＥＳ）、システムコントローラ１３０は、ステップＳ２からの処理を再度行う。また、否定判定の場合（ステップＳ６／ＮＯ）、システムコントローラ１３０は、ステップＳ５の処理に戻り、電源がオフされたか否かを判定する。
【００１９】
次に、図６に示すフローチャートを参照しながら、優先リスト作成処理の詳細な処理手順を説明する。システムコントローラ１３０は、まず、記憶部１３４に、お気に入り局が登録されているか否かを判定する（ステップＳ１１）。否定判定の場合（ステップＳ１１／ＮＯ）、システムコントローラ１３０は、ステップＳ２の処理に移行する。また、肯定判定の場合（ステップＳ１１／ＹＥＳ）、システムコントローラ１３０は、放送局ＤＢを参照して、お気に入り局のａｆｆｉｌｉａｔｉｏｎ  ｉｄを取得する（ステップＳ１２）。
【００２０】
次に、システムコントローラ１３０は、放送局ＤＢを検索して、お気に入り局のａｆｆｉｌｉａｔｉｏｎ  ｉｄと値が一致する放送局を検出する（ステップＳ１３）。すなわち、システムコントローラ１３０は、お気に入り局と同じ系列局に属する放送局を検出する。システムコントローラ１３０は、ａｆｆｉｌｉａｔｉｏｎ  ｉｄが一致する放送局を検出した場合（ステップＳ１４／ＹＥＳ）、検出した放送局のＴＳ＿ｉｄを検索対象リストに登録する（ステップＳ１５）。その後、システムコントローラ１３０は、お気に入り局のａｆｆｉｌｉａｔｉｏｎ  ｉｄと、放送局ＤＢに登録されたすべての放送局のａｆｆｉｌｉａｔｉｏｎ  ｉｄとを比較したか否かを判定する(ステップＳ１６)。お気に入り局のａｆｆｉｌｉａｔｉｏｎ  ｉｄと比較していない放送局がある場合（ステップＳ１６／ＹＥＳ）、システムコントローラ１３０は、ステップＳ１３に戻って再度処理を行う。また、お気に入り局のａｆｆｉｌｉａｔｉｏｎ  ｉｄと比較していない放送局がない場合（ステップＳ１６／ＮＯ）、システムコントローラ１３０は、ステップＳ２の処理に移行する。
【００２１】
次に、図７に示すフローチャートを参照しながら、優先リスト作成処理の詳細な処理手順を説明する。システムコントローラ１３０は、受信部１１０に受信させる放送信号の周波数(以下、受信周波数という)を、取得開始チャンネルの周波数に設定する（ステップＳ２１）。地上デジタル放送である場合、１３チャンネルから６２チャンネルが検索対象チャンネルとなるため、取得開始チャンネルは、１３チャンネルに設定される。次に、システムコントローラ１３０は、受信部１１０で受信した放送信号からＮＩＴを取得することができたか否かを判定する（ステップＳ２２）。ＮＩＴは、放送局から送信される情報であり、ＮＩＴが送信される周期は、最小周期１秒、最大周期３秒、デフォルト周期１秒に設定されている。システムコントローラ１３０は、１３チャンネルから順に該当チャンネルの放送信号を１秒ずつ受信して、ＮＩＴを受信することができたか否かを判定する。否定判定の場合（ステップＳ２２／ＮＯ）、システムコントローラ１３０は、ステップＳ２６の処理に移行する。また、肯定判定の場合（ステップＳ２２／ＹＥＳ）、システムコントローラ１３０は、受信したＮＩＴからＴＳ＿ｉｄを取得する（ステップＳ２３）。そして、システムコントローラ１３０は、ＮＩＴから取得したＴＳ＿ｉｄと、検索対象リストに登録されたＴＳ＿ｉｄとが一致するか否かを判定する（ステップＳ２４）。肯定判定の場合（ステップＳ２４／ＹＥＳ）、システムコントローラ１３０は、受信部１１０に設定した受信周波数を優先リストに登録する（ステップＳ２５）。優先リストには、その他に、放送局の放送局名や、放送局の所在地、放送局のＴＳ＿ｉｄ等が登録される。また、否定判定の場合(ステップＳ２４／ＮＯ)、システムコントローラ１３０は、ステップＳ２６の処理に移行する。
【００２２】
次に、システムコントローラ１３０は、受信部１１０に設定した受信周波数は、検索対象チャンネルの最後のチャンネル（すなわち、６２チャンネル）の周波数であるか否かを判定する（ステップＳ２６）。肯定判定である場合（ステップＳ２６／ＹＥＳ）、システムコントローラ１３０は、ステップＳ３の処理に移行する。また、否定判定の場合（ステップＳ２６／ＮＯ）、システムコントローラ１３０は、受信部１１０の受信周波数を、現在のチャンネルよりもチャンネル番号が１つ大きいチャンネルの周波数に設定する（ステップＳ２７）。そして、システムコントローラ１３０は、ステップＳ２２からの処理を繰り返す。
【００２３】
次に、図８に示すフローチャートを参照しながら、優先チャンネル受信処理の詳細について説明する。
システムコントローラ１３０は、まず、優先リストの最初に登録されたチャンネルの周波数を、受信部１１０の受信周波数に設定し、受信部１１０に当該チャンネルの放送信号を受信させる（ステップＳ３１）。次に、システムコントローラ１３０は、受信部１１０が、受信周波数の放送信号を受信可能であるか否かを判定する（ステップＳ３２）。受信周波数の放送信号を受信可能であると判定すると（ステップＳ３２／ＹＥＳ）、システムコントローラ１３０は、受信部１１０に、受信周波数の放送信号を受信させる受信継続時間をＮ１（ｓｅｃ）に設定する。なお、受信継続時間Ｎ１については後述する。受信部１１０は、システムコントローラ１３０により設定された受信継続時間Ｎ１の間、該当受信周波数の放送信号を受信し、受信した放送信号に重畳された情報を取り出してシステムコントローラ１３０に渡す（ステップＳ３３）。システムコントローラ１３０は、受信部１１０から取得した情報から番組情報を取り出し、取り出した番組情報を番組表に追加する（ステップＳ３４）。
【００２４】
次に、システムコントローラ１３０は、受信部１１０に設定した受信周波数は、優先リストに登録された最後のチャンネルの周波数であるか否かを判定する（ステップＳ３５）。肯定判定の場合（ステップＳ３５／ＹＥＳ）、システムコントローラ１３０は、ステップＳ４の処理に移行する。また、否定判定の場合(ステップＳ３５／ＮＯ)、システムコントローラ１３０は、受信部１１０の受信周波数を、優先リストに登録された次のチャンネルの周波数に設定し（ステップＳ３６）、ステップＳ３２からの処理を繰り返す。
【００２５】
ここで、優先チャンネル受信処理について具体的に説明する。例えば、車両が県境に移動し、系列局である２１チャンネルと４８チャンネルとの２チャンネルが受信可能なチャンネルとして優先リストに登録されているとする。システムコントローラ１３０は、まず、受信部１１０の受信周波数を、優先リストに登録された２１チャンネルの周波数に設定し、２１チャンネルの放送信号を受信可能であるか否かを判定する。２１チャンネルの放送信号を受信可能であると判定すると、受信継続時間Ｎ１の間、２１チャンネルの放送信号を受信部１１０に受信させる。そして、システムコントローラ１３０は、受信した放送信号に重畳された情報から番組情報を取り出し、取り出した番組情報を番組表に追加する。次に、システムコントローラ１３０は、受信部１１０の受信周波数を、優先リストに登録された４８チャンネルの周波数に設定し、４８チャンネルの放送信号を受信可能であるか否かを判定する。４８チャンネルの放送信号を受信可能であると判定すると、受信継続時間Ｎ１の間、受信部１１０に４８チャンネルの放送信号を受信させる。そして、システムコントローラ１３０は、受信した放送信号に重畳された情報から番組情報を取り出し、取り出した番組情報を番組表に追加する。
【００２６】
次に、図９に示すフローチャートを参照しながら、非優先チャンネル受信処理の詳細について説明する。
システムコントローラ１３０は、まず、優先リストに登録されたチャンネル以外のチャンネルのうち、周波数が最小のチャンネルの周波数を、受信部１１０の受信周波数に設定する（ステップＳ４１）。次に、システムコントローラ１３０は、受信部１１０が、受信周波数の放送信号を受信可能であるか否かを判定する（ステップＳ４２）。肯定判定の場合（ステップＳ４２／ＹＥＳ）、システムコントローラ１３０は、受信部１１０に、当該受信周波数の放送信号を受信させる受信継続時間をＮ２（ｓｅｃ）に設定する。なお、受信継続時間Ｎ２は、受信継続時間Ｎ１よりも短い時間に設定されている。受信継続時間Ｎ１及びＮ２の詳細については後述する。受信部１１０は、システムコントローラ１３０により設定された受信継続時間Ｎ２の間、該当周波数の放送信号を受信し、受信した放送信号に重畳された情報を取り出してシステムコントローラ１３０に渡す（ステップＳ４３）。システムコントローラ１３０は、受信部１１０から取得した情報から番組情報を取り出し、取り出した番組情報を番組表に追加する（ステップＳ４４）。
【００２７】
次に、システムコントローラ１３０は、受信部１１０の受信周波数は、優先リストに登録されていない検索対象チャンネルのうち、チャンネル番号が最も大きい最後のチャンネルであるか否かを判定する（ステップＳ４５）。否定判定である場合（ステップＳ４５／ＮＯ）、システムコントローラ１３０は、優先リストに登録されていないチャンネルであって、チャンネル番号が次に大きいチャンネルを受信部１１０の受信チャンネルに設定する（ステップＳ４６）。また、肯定判定の場合(ステップＳ４５／ＹＥＳ)、システムコントローラ１３０は、ステップＳ５の処理に移行する。
【００２８】
非優先チャンネル受信処理について具体的に説明する。上述のように優先リストには、２１チャンネルと４８チャンネルとの２チャンネルが登録されているとする。システムコントローラ１３０は、２１チャンネルと４８チャンネルとを除いたチャンネルのうち、まず、チャンネル番号が最小の１３チャンネルを受信チャンネルとして選択し、受信部１１０の受信周波数を、１３チャンネルの周波数に設定する。そして、システムコントローラ１３０は、１３チャンネルの放送信号を受信可能であるか否かを判定する。１３チャンネルの放送信号を受信可能ではない場合、システムコントローラ１３０は、受信部１１０の受信周波数を次のチャンネルの周波数（１４チャンネルの周波数）に設定する。また、１３チャンネルの放送信号を受信可能であると判定すると、システムコントローラ１３０は、受信継続時間Ｎ２（ｓｅｃ）の間、受信部１１０に１３チャンネルの放送信号を受信させる。そして、システムコントローラ１３０は、受信した放送信号に重畳された情報から番組情報を取り出し、取り出した番組情報を番組表に追加する。システムコントローラ１３０は、以上の処理を、優先リストに登録された２１チャンネルと４８チェネルとを除くすべてのチャンネルで実行する。
【００２９】
ここで、受信継続時間Ｎ１、Ｎ２について説明する。
放送局から送信される番組情報には、図１０に示す４種類のデータがある。Ｈ−ＥＩＴ［ｐ／ｆ］は、現在放送中の番組と、次に放送予定の番組との２番組分の番組データである。Ｈ−ＥＩＴ［ｐ／ｆ］は、最小周期１（ｓｅｃ）、最大周期３（ｓｅｃ）、デフォルト周期１（ｓｅｃ）で送信されるデータである。Ｈ−ＥＩＴ［ｓｃｈｅｄｕｌｅ  ｂａｓｉｃ］基本周期グループは、８日分の番組データである。Ｈ−ＥＩＴ［ｓｃｈｅｄｕｌｅ  ｂａｓｉｃ］基本周期グループは、最小周期６０（ｓｅｃ）、最大周期１８０（ｓｅｃ）、デフォルト周期６０（ｓｅｃ）で送信されるデータである。Ｈ−ＥＩＴ［ｓｃｈｅｄｕｌｅ  ｅｘｔｅｎｄｅｄ］拡張周期グループ１は、現在時刻を含む９時間分の番組データである。Ｈ−ＥＩＴ［ｓｃｈｅｄｕｌｅ  ｅｘｔｅｎｄｅｄ］拡張周期グループ１は、最小周期３（ｓｅｃ）、最大周期５（ｓｅｃ）、デフォルト周期３（ｓｅｃ）で送信されるデータである。Ｈ−ＥＩＴ［ｓｃｈｅｄｕｌｅ  ｅｘｔｅｎｄｅｄ］拡張周期グループ２は、拡張周期グループ１に続く３９時間分の番組データである。Ｈ−ＥＩＴ［ｓｃｈｅｄｕｌｅ  ｅｘｔｅｎｄｅｄ］拡張周期グループ２は、最小周期１０（ｓｅｃ）、最大周期３０（ｓｅｃ）、デフォルト周期１０（ｓｅｃ）で送信されるデータである。
【００３０】
システムコントローラ１３０は、優先リストに登録された放送局の番組情報の取得の際には、Ｈ−ＥＩＴ［ｓｃｈｅｄｕｌｅ  ｅｘｔｅｎｄｅｄ］拡張周期グループ２のデータを受信する。このため、システムコントローラ１３０は、優先リストに登録された放送局の番組情報の取得の際には、受信継続時間Ｎ１（ｓｅｃ）を、例えば２０ｓｅｃに設定する。Ｈ−ＥＩＴ［ｓｃｈｅｄｕｌｅ  ｅｘｔｅｎｄｅｄ］拡張周期グループ２のデフォルト周期は１０（ｓｅｃ）であるため、本実施形態では、デフォルト周期を２倍した２０（ｓｅｃ）を、受信継続時間Ｎ１に設定している。
また、システムコントローラ１３０は、優先リストに登録されていない放送局の番組情報の取得の際には、Ｈ−ＥＩＴ［ｐ／ｆ］のデータを受信することができるように、受信継続時間Ｎ２（ｓｅｃ）を、例えば２（ｓｅｃ）に設定している。Ｈ−ＥＩＴ［ｐ／ｆ］のデフォルト周期は１（ｓｅｃ）であるため、本実施形態では、デフォルト周期を２倍した２（ｓｅｃ）を受信継続時間Ｎ２に設定している。
【００３１】
次に、ディスプレイ１３２に表示させる番組表について図１１及び図１２を参照しながら説明する。例えば、図１１に示すＡテレビ、Ｂテレビ、Ｃテレビの３つの放送局の番組情報を取得するものとする。Ａテレビ、Ｂテレビ、Ｃテレビの３つの放送局に対し、各局一様に同時間ずつ番組情報を取得する場合、各局の番組情報の取得量は同一になる。図１１に示す例では、Ａテレビ、Ｂテレビ、Ｃテレビの３つの放送局の、現在放送中の番組情報と、次に放送予定の番組情報とを受信して、受信した番組情報をディスプレイ１３２に表示した場合を示す。これに対し、本実施形態では、優先リストに登録された放送局の番組情報の受信継続時間Ｎ１が、優先リストに登録されていない他の放送局の番組情報の受信継続時間Ｎ２よりも長い。さらに、優先リストに登録された放送局の番組情報の取得を、優先リストに登録されていない他の放送局の番組情報の取得よりも先に行う。例えば、図１２に示すＣテレビが優先リストに登録された放送局であり、ＡテレビとＢテレビとは優先リストには登録されていないとする。本実施形態では、Ｃテレビの番組情報の受信を、Ａテレビ及びＢテレビの番組情報よりも先に行い、さらにＣテレビの番組情報の受信継続時間Ｎ１が、ＡテレビとＢテレビとの番組情報の受信継続時間Ｎ２よりも長い。このため、図１２に示すように、Ｃテレビの番組情報は、３９時間後まで取得できている状態であるが、ＡテレビとＢテレビとは、現在放送中の番組と次に放送される番組との２番組の番組情報が取得できている状態になっている。
【００３２】
次に、優先リストに登録された放送局の番組情報の取得量を表示するアイコンについて説明する。番組情報の取得量は、電波の受信環境に依存するため、電波の受信環境に応じて、番組情報の取得量が異なる。このため、例えば、図１３に示すように番組情報の取得量に応じて、大、中、小の３種類のアイコンを用意し、番組情報の取得量に応じて表示するアイコンを切り換える。
【００３３】
図１４には、番組情報と共に、番組情報の取得量を示すアイコンをディスプレイ１３２に表示した例を示す。図１４に示すＣテレビが優先リストに登録された放送局であり、ＡテレビとＢテレビとは、優先リストに登録されていないものとする。アイコンは、お気に入り局と、お気に入り局の系列局との番組情報の取得量を示す。従って、Ｃテレビが優先リストに登録されたお気に入り局であるため、アイコンは、ＣテレビとＣテレビの系列局との番組情報の取得量を示す。ユーザは、アイコンの表示によって、系列局の番組情報の取得量を判断することができる。例えば、番組情報の取得量が小のアイコンが表示されている場合には、番組情報があまり取得できておらず、番組情報を表示しても意味のない表示となってしまう。このため、ユーザに、お気に入り局の系列局の番組情報をディスプレイ１３２に表示させるか否かの判断材料をユーザに提供することができる。
【００３４】
図１４に示す表示状態において、ディスプレイ１３２に表示中のＣテレビがユーザによって選択（タッチ）されると、図１５に示すように、お気に入り局の系列局の番組情報が、お気に入り局の番組表の隣に表示される。系列局の番組情報は、車両の現在位置に基づいて、隣接県の系列局の番組表が表示される。
システムコントローラ１３０は、カーナビ制御部１２３から現在位置が属する都道府県と、この都道府県に隣接する都道府県との情報を取得する（取得部の処理）。そして、システムコントローラ１３０は、受信部１１０が受信した番組情報のうち、優先リストに登録された放送局の番組情報であって、現在位置が属する都道府県と、都道府県に隣接する都道府県とで受信可能な放送局の番組情報とを選択してディスプレイ１３２に表示させる。例えば、番組情報として静岡県と長野県の系列局の番組情報を取得済みであり、ナビゲーション装置１００を搭載した車両が神奈川県内を走行中である場合、システムコントローラ１３０は、神奈川県で受信可能な放送局と、静岡県の系列局との番組表を表示する。また、番組情報として静岡県と長野県の系列局の番組情報を取得済みであり、ナビゲーション装置１００を搭載した車両が群馬県内を走行中である場合、システムコントローラ１３０は、群馬県で受信可能な放送局と、長野県の系列局との番組表を表示する。
【００３５】
以上の説明より明らかなように本実施形態のシステムコントローラ１３０は、ユーザによって選択されたお気に入り局の系列局を抽出して、お気に入り局と系列局との識別情報とを登録した優先リストを作成する。そして、番組情報の取得の際には、システムコントローラ１３０は、優先リストに登録された放送局の番組情報の受信が、優先リストに登録されていない放送局の番組情報の受信よりも先になるように受信部１１０を制御する。また、優先リストに登録された放送局の番組情報の受信時間が、優先リストに登録されていない放送局の番組情報の受信時間よりも長くなるように受信部１１０を制御する。このため、移動中や移動先の限られた時間内で、ユーザが選択した放送局と、この放送局の系列局との番組情報を、他の放送局の番組情報よりも早く、また他の放送局よりもより多くの情報を取得することができる。従って、ナビゲーション装置１００を搭載した車両が移動中であっても、ユーザの所望する放送局の番組情報を取得することができる。このため、ユーザには、ユーザの嗜好にあった番組を選局又は予約しやすいという状況を提供することができる。
【００３６】
また、システムコントローラ１３０は、ナビゲーション部１２０から車両の現在位置情報を取得し、取得した現在位置情報に基づいて、現在位置が属する都道府県と、都道府県に隣接する都道府県とを判断する。そして、システムコントローラ１３０は、優先リストに登録された放送局の番組情報であって、現在位置が属する都道府県と、この都道府県に隣接する都道府県とで受信可能な放送局の番組情報とを選択してディスプレイ１３２に表示させる。このため、ユーザが試聴する可能性の高い放送局の番組情報を優先的にディスプレイ１３２に表示することができ、ユーザの利便性を向上させることができる。
【００３７】
上述した実施形態は、本発明の好適な実施の形態である。但し、これに限定されるものではなく、本発明の要旨を逸脱しない範囲内において種々の変形実施が可能である。
【符号の説明】
【００３８】
１００  ナビゲーション装置
１１０  受信部
１１１  デジタルチューナ
１１２  ＯＦＤＭデコーダ
１１３  デスクランブラ・ＭＰＥＧデコーダ
１２０  ナビゲーション部
１３０  システムコントローラ
１３２  ディスプレイ
１３４  記憶部
【図１】
2015106898.tif 000003
【図２】
2015106898.tif 000004
【図３】
2015106898.tif 000005
【図４】
2015106898.tif 000006
【図５】
2015106898.tif 000007
【図６】
2015106898.tif 000008
【図７】
2015106898.tif 000009
【図８】
2015106898.tif 000010
【図９】
2015106898.tif 000011
【図１０】
2015106898.tif 000012
【図１１】
2015106898.tif 000013
【図１２】
2015106898.tif 000014
【図１３】
2015106898.tif 000015
【図１４】
2015106898.tif 000016
【図１５】
2015106898.tif 000017